(57)【要約】【課題】左右いずれか一方の腕又は手の代わりに、作業者の腕又は手の幅より小さな専用治工具を作業孔から入れ、この専用治工具で床下にある敷設物を仮固定しながら、他方の手で接続対象物を掴み、敷設物に押し込み接続することができる床下配管接続方法及びこの方法に用いるための床下配管接続用治工具を提供する。【解決手段】枢着部５１から延長されて相対向し、握り部５３の開閉操作に応じて開閉する一対の顎部５２と、顎部５２の先端側に設けられた、スラブ２に接して滑りを防止する滑り防止部材５５とを備える専用治工具５を作業孔１０を介して挿入し、作業者の一方の手で、床上からの握り部５３の閉操作により顎部５２を閉じてその顎部５２の内側対向面で敷設物３を挟掴しながら、滑り防止部材５５をスラブ２に押し付けることにより、挟掴している敷設物３を床下空間Ｓ内で仮固定する。【選択図】図１
2012047281.tif 000002
【特許請求の範囲】
【請求項１】
作業孔を床材に穿設し、床上から、床材とスラブとの間の床下空間に敷設してある既設の敷設物に接続対象物を接続する床下配管接続方法において、
枢着部から延長されて相対向し、握り部の開閉操作に応じて開閉する一対の顎部と、該顎部の先端側に設けられた、前記スラブに接して滑りを防止する滑り防止部材とを備える治工具を前記作業孔を介して挿入し、
作業者の一方の手で、前記握り部の閉操作により前記顎部を閉じてその顎部の内側対向面で前記敷設物を挟掴しながら、前記滑り防止部材を前記スラブに押し付けることにより、挟掴している前記敷設物を前記床下空間内で仮固定し、他方の手で前記接続対象物を把持して仮固定する前記敷設物に接続することを特徴とする床下配管接続方法。
【請求項２】
床材とスラブとの間の床下空間に敷設してある敷設物を挟掴するための床下配管接続用治工具であって、
二つのアーム部が枢着部で枢着され、該枢着部から一対の顎部が相対向して延長され、前記アーム部にそれぞれ握り部が取り付けられ、該握り部の開閉操作に連動して前記顎部が開閉し、作業者の一方の手による前記握り部の閉操作により前記顎部が閉じてその顎部の内側対向面が前記敷設物を挟掴し、該顎部の先端側に前記スラブに接して滑りを防止する滑り防止部材が取り付けられ、該滑り防止部材が前記スラブに押し付けられることにより、挟掴している前記敷設物を前記床下空間内で仮固定するようにしてあることを特徴とする床下配管接続用治工具。
【請求項３】
前記顎部は、挟掴する前記敷設物を保護するための緩衝材を前記内側対向面に備えていることを特徴とする請求項２に記載の床下配管接続用治工具。
【請求項４】
前記滑り防止部材は、前記顎部の先端から突起して前記スラブに突き刺さる突起物であることを特徴とする請求項２又は３に記載の床下配管接続用治工具。
【発明の詳細な説明】
【技術分野】
【０００１】
本発明は、作業孔を床材に穿設し、床上から、床材とスラブとの間の床下空間に敷設してある既設の管材などに床下空間に挿入した新設の管材などを接続する床下配管接続方法及びこの方法で用いるための床下配管接続用治工具に関する。
【背景技術】
【０００２】
従来、戸建住宅又は集合住宅などの改修工事において、床材とスラブとの間の床下空間に敷設されている管材を異なる別の管材に交換することや、新たに管材又は継手を接続することが行われている。
【０００３】
このような改修工事において、床材は、作業者の腕又は手を床下に入れるため、剥ぎ取られる必要がある。しかし、このような方法は、工事が大掛かりとなって工事費用が高くなり、また、工事の間、居住者が別の場所に待避しなければならないという問題がある。
【０００４】
そこで、従来、床材を剥がすことなく作業孔を開け、この作業孔から腕若しくは手又は治工具などを挿し入れ、床上から、床下空間に敷設してある管材を移動させたり、管材と継手とを接続させたりする方法及びこの方法に用いるための治工具が提案されている（例えば、特許文献１〜３）。
【先行技術文献】
【特許文献】
【０００５】
【特許文献１】特開２００８−１９６１４９号公報
【特許文献２】特開２００７−２１８０３２号公報
【特許文献３】特開２００７−１４６６０２号公報
【発明の概要】
【発明が解決しようとする課題】
【０００６】
しかしながら、先に提案された方法において、例えば、図９に示すように管材を分岐させるために多数の管材とチーズ分岐継手とを接続する場合、作業者は、作業孔から両腕又は両手を同時に挿し入れ、一方の手で各管材を掴み支えながら、他方の手で継手を掴み、管材の管端部に導き、押し込み、接続していく必要がある。
【０００７】
かかる場合、先に提案された方法は、以下のように作業者の作業効率と作業者の作業安全性とを両立することができないという問題を有する。まず、作業孔の大きさ寸法について述べると、本願出願人が試験を行い、実測したところに依れば、両腕又は両手を挿し入れて床下で作業するためには、直径３００ｍｍ程度の大きさの作業孔が必要となる。
【０００８】
従って、先に提案された方法において、作業孔は、床上から作業し易いように直径３００ｍｍ以上の大きさであることが好ましい。しかし、作業孔を大きく開けすぎると、床材の強度が低下することとなる。一方、床材の強度が低下しないように作業孔を小さくしすぎると、両腕又は両手を同時に挿し入れて床下で作業することが困難となる。また、作業孔は、作業完了後に化粧板などで塞がれるため、より小さく開けられることが好ましい。このように、作業効率と作業安全性とを両立することが難しいため、実際の現場において図９のような作業を行う場合、作業孔を開けることなく、床材を剥がす方法が多く採られている。
【０００９】
本発明はかかる事情を鑑みてなされたものであり、片方の腕又は手と、専用治工具とを作業孔から挿し入れ、この専用治工具によって床下空間内に敷設されている既設の敷設物を仮固定することにより、片手のみを作業孔に挿し入れて接続対象物を敷設物に押し込み、接続することができる床下配管接続方法及びこの方法に用いるための床下配管接続用治工具を提供することを目的とする。
【課題を解決するための手段】
【００１０】
本発明に係る床下配管接続方法は、作業孔を床材に穿設し、床上から、床材とスラブとの間の床下空間に敷設してある既設の敷設物に接続対象物を接続する床下配管接続方法において、枢着部から延長されて相対向し、握り部の開閉操作に応じて開閉する一対の顎部と、該顎部の先端側に設けられた、前記スラブに接して滑りを防止する滑り防止部材とを備える治工具を前記作業孔を介して挿入し、作業者の一方の手で、前記握り部の閉操作により前記顎部を閉じてその顎部の内側対向面で前記敷設物を挟掴しながら、前記滑り防止部材を前記スラブに押し付けることにより、挟掴している前記敷設物を前記床下空間内で仮固定し、他方の手で前記接続対象物を把持して仮固定する前記敷設物に接続することを特徴とする。
【００１１】
また、本発明に係る床下配管接続用治工具は、床材とスラブとの間の床下空間に敷設してある敷設物を挟掴するための床下配管接続用治工具であって、二つのアーム部が枢着部で枢着され、該枢着部から一対の顎部が相対向して延長され、前記アーム部にそれぞれ握り部が取り付けられ、該握り部の開閉操作に連動して前記顎部が開閉し、作業者の一方の手による前記握り部の閉操作により前記顎部が閉じてその顎部の内側対向面が前記敷設物を挟掴し、該顎部の先端側に前記スラブに接して滑りを防止する滑り防止部材が取り付けられ、該滑り防止部材が前記スラブに押し付けられることにより、挟掴している前記敷設物を前記床下空間内で仮固定するようにしてあることを特徴とする。
【００１２】
本発明にあっては、左右いずれか一方の腕及び手の代わりに、腕幅又は手幅より小さな専用治工具を作業孔から挿し入れ、この操作専用治工具で床下にある敷設物を仮固定しながら、他方の手で接続対象物をしっかりと掴み、敷設物に押し込み接続することにより、両腕又は両手を入れて床下配管接続を行う従来の方法に比べて必要な作業孔の開口寸法が小さくなる。その結果、床材の強度が低下することがなくなり、また、作業孔を塞ぐための器具が簡素なもので足り、作業孔を塞ぐ作業が容易となる。併せて、専用治工具が作業者の片手の代わりとなって敷設物を固定するので、作業孔の開口寸法を小さくする場合であっても、床上からの作業効率が低下することがない。両手で作業する場合に比して作業効率が低下することがない。
【００１３】
また、本発明に係る床下配管接続用治工具は、前記顎部は、挟掴する前記敷設物を保護するための緩衝材を前記内側対向面に備えているように構成してもよい。
本発明にあっては、顎部の内側対向面に緩衝材が取り付けられることにより、顎部により挟まれた敷設物の外周壁が傷つくことがない。
【００１４】
更にまた、本発明に係る床下配管接続用治工具は、前記滑り防止部材は、前記顎部の先端から突起して前記スラブに突き刺さる突起物であるように構成してもよい。
本発明にあっては、顎部の先端がスラブに突き刺さることにより、顎部が挟掴する敷設物が横滑りすることなく強固に固定される。
【発明の効果】
【００１５】
本発明にあっては、少なくとも作業者の両腕又は両手を作業孔に入れて接続作業する従来の方法に比べて、作業孔の開口寸法を小さくすることができ、床材の強度を低下させることがなく、作業孔近傍の床材が陥没する危険性を回避することができる。併せて、開口寸法が小さな作業孔であっても、床上からの作業の効率を低下させることがないようにできる。
【図面の簡単な説明】
【００１６】
【図１】本発明に係る床下配管接続方法の実施形態を説明するために床下空間を鉛直方向に切断した正面視断面図であり、（ａ）は床下空間に治工具を挿入している状態を示す図、（ｂ）は挿入した治工具で床下空間に敷設してある敷設物を仮固定する状態を示す図である。
【図２】図１とは異なる方向から見た、床下配管接続方法の実施形態を説明するために床下空間を鉛直方向に切断した側面視断面図であり、（ａ）は床下空間に治工具を挿入している状態を示す図、（ｂ）は挿入した治工具で床下空間に敷設してある敷設物を仮固定し、接続しようとしている状態を示す図である。
【図３】本発明に係る床下配管接続用治工具の構成を示す正面図である。
【図４】本発明に係る床下配管接続用治工具が備える滑り防止部材の一例を示す側面視拡大図であり、（ａ）はスラブとの接触面に突起物を備える滑り防止部材を示す図、（ｂ）はスラブとの接触面に溝が刻まれた滑り防止部材を示す図である。
【図５】本発明に係る床下配管接続方法の工程を示す図である。
【図６】図１とは異なる形態の、床下配管接続方法の実施形態を説明するために床下空間を鉛直方向に切断した正面視断面図であり、（ａ）は床下空間に治工具を挿入している状態を示す図、（ｂ）は挿入した治工具で床下空間に敷設してある敷設物を仮固定する状態を示す図である。
【図７】図６とは異なる方向から見た、床下配管接続方法の実施の形態を説明するために床下空間を鉛直方向に切断した側面視断面図であり、（ａ）は床下空間に治工具を挿入している状態を示す図、（ｂ）は挿入した治工具で床下空間に敷設してある敷設物を仮固定し、接続しようとしている状態を示す図である。
【図８】図６及び図７の実施の形態における、床下配管接続用治工具が備える滑り防止部材を示す斜視拡大図であり、（ａ）は円錐形状の突起物からなる滑り防止部材を示す図、（ｂ）は角錐形状の突起物からなる滑り防止部材を示す図である。
【図９】従来の床下配管接続方法の実施の形態を説明する図であり、（ａ）は作業前の状態を示す図、（ｂ）は作業員が両腕及び両手を作業孔に挿し入れる状態を示す図、（ｃ）は作業員が両腕及び両手を作業孔に挿し入れ、接続作業を行おうとしている状態を示す平面図である。
【発明を実施するための形態】
【００１７】
実施の形態１．
本発明に係る床下配管接続方法及びこの方法に用いるための専用治工具について、実施の形態を示す図に基づいて以下説明する。図１及び図２において、１は床材、２はスラブ、３は敷設物、４は接続対象物、５は専用治工具である。
【００１８】
床材１は、床仕上げ材と断熱材とが積層している。床材１は、スラブ２の上に格子状に渡された複数の根太（図示せず）の上に敷きつめられ、作業者や居住者などを載せる床面を有する。床材１とスラブ２との間には、床下空間Ｓが形成され、根太を避けるように床下空間Ｓに管材や継手などの敷設物３が敷設されている。また、床材１は、床下配管接続のために所定の大きさの作業孔１０が開けられる。
【００１９】
作業孔１０は、床上から床下空間Ｓまでを貫き、作業者の腕又は手、接続対象物４及び専用治工具５が挿し入れられる。作業孔１０は、開口寸法が少なくとも作業者の片腕又は片手及び専用治工具５が通り抜ける程度の大きさとなるように形成されている。本願出願人の試験に依れば、作業孔１０を直径１５０ｍｍ〜１７０ｍｍ程度の大きさの円形状とした場合、作業者は、片腕又は片手を挿し入れて床下空間Ｓ内で作業することができる一方、両腕又は両手を挿し入れると床下空間Ｓ内での作業が困難となることが判明した。そこで、少なくとも作業者の片腕又は片手及び専用治工具５が通り抜ける程度の大きさとは、直径１５０ｍｍ〜１７０ｍｍ程度の大きさの円形状のものである。
【００２０】
また、作業孔１０は、ホールカッター（図示せず）を用いて床材１に開けられることが好ましい。ホールカッターは、カップ状の切削刃と、切削刃の外周に取り付けられたガイド部とを備えている。ホールカッターは、床材１の任意の場所に切削刃が押し付けられ、切削刃が回転することによってその刃先が床材１を円形状に切削していく。ホールカッターは、切削刃が床材１を貫通して床下空間Ｓに侵入すると、ガイド部が床材１に接触し、床下空間Ｓに所定の深さ以上侵入しないようになっている。切削刃は、直径１５０ｍｍ〜１７０ｍｍ程度の大きさの作業孔１０を開けるため、同程度の直径を有するカップ形状のものが用いられる。
【００２１】
スラブ２は、上階住戸と下階住戸との間にある構造床のことであり、床上からの鉛直方向の面荷重を受ける板状のものをいう。スラブ２は、内部に鉄筋が格子状に張り込まれて補強されているコンクリートなどであり、その厚さが１３０ｍｍ〜１８０ｍｍとなるように形成されている。スラブ２は、厚みがあるほど遮音性が高くなる。
【００２２】
敷設物３は、床下空間Ｓに敷設してある既設の敷設物であり、接続される対象物（被接続対象物）となる。また、接続対象物４は、敷設物３に接続する対象物である。敷設物３及び接続対象物４は、例えば、管材、管継手及びその他の床下に敷設すべき物品が該当し、作業孔１０を通り抜けることができる程度の大きさ寸法のものが該当する。
【００２３】
ここでは、敷設物３及び接続対象物４の代表例について説明する。管材は、例えば、床上にある水回り環境の給水管又は排水管であり、ポリブデン（ＰＢ）管、ポリエチレン（ＰＥ）管、架橋ポリエチレン（ＸＰＥ）管、耐熱ポリエチレン（ＰＥ−ＲＴ）管及び塩ビ管などの可撓性を備えた合成樹脂管のみならず、金属管などが該当する。
また、管継手は、管材同士を接合するための部材であり、エルボ、チーズ、クロス、ガスケット、ソケット、ニップルなどの様々な形態があり、管材の管端部との接続を袋ナットやバンドにより締め付けて固定するものが主流である。但し、このような管継手は、締め付けに工具が必要となるため、作業に手間取る。また、締め付けが甘いとシール性能が低下するため、熟練工以外の作業者が行うと接続の信頼性が低下する。また、作業孔１０が極力小さくなるように開けられるため、作業者は、左右いずれかの片腕又は片手のみを挿し入れて作業しなければならない。そこで、本発明において、管継手は、片手で管材の管端部に押し込み、接続することで（即ち、ワンタッチで）固定することができる構造を備えることが好ましい（例えば、特開２００５−２９１４１８号公報を参照）。
【００２４】
専用治工具５は、本発明に係る床下配管接続用治工具であり、図に示すとおり、アーム部５０と、枢着部５１と、顎部５２と、握り部５３と、保護緩衝材５４と、滑り防止部材５５とを備える。
【００２５】
二つのアーム部５０は、金属製であり、枢着部５１で枢着され、この枢着部５１から一対の顎部５２が相対向して延長されている。各アーム部５０は、それぞれに握り部５３が取り付けられている。握り部５３は、合成樹脂で形成され、作業者の手にフィットする形状であり、把持力が入りやすい程度の固さを備えている。また、握り部５３は、枢着部５１に最も近い基端側に、外周方向に張り出したフランジ５３０が形成されている。また、握り部５３は、顎部５２と連動しており、握り部５３が握り締められること（閉操作）に応じて顎部５２が枢着部５１を支点として閉じ、握り部５３に対する握り締めが解除されること（開操作）に応じて顎部５２が枢着部５１を支点として開く。専用治工具５は、閉操作時の握り部５３の把持力が、梃子の原理により増幅され、その強力な把持力が顎部５２の間に伝わるようになっている。
【００２６】
二つの顎部５２は、金属製であり、相対向する内側対向面５２０が敷設物３の外周壁に接触しやすいように、それぞれ枢着部５１側から先端側にかけて内向きに正面視略くの字状に湾曲している。また、顎部５２は、内側対向面５２０に敷設物３を保護するための保護緩衝材５４が取り付けられている。更にまた、顎部５２は、先端側にスラブ２に接したときの滑りを防止する滑り防止部材５５が取り付けられている。
【００２７】
保護緩衝材５４は、圧縮することにより体積が減少する圧縮性とこの圧縮力を解放したときに体積を膨張させる性質を有する弾性材料、例えば、弾性ゴム素材で形成されている。
【００２８】
滑り防止部材５５は、クッション性を持つ硬質ゴム素材で形成されたブロック形状の部材であり、スラブ２に押し付けられたときにスラブ２との間で摩擦力を生じさせて滑りを防止する接触面５５０を備えている。また、滑り防止部材５５は、接触面５５０に複数突起している突起物５５１を備えてもよい（図４（ａ））。このとき、突起物５５１は、平行線状に複数突起（所謂、洗濯板状）しているか、円錐／角錐形状に突起している。更にまた、突起物５５１以外の形態として、接触面５５０に複数本刻まれた滑り防止溝５５２を備えてもよい（図４（ｂ））。
【００２９】
専用治工具５は、顎部５２を閉じたときの最大幅寸法が、作業孔１０を通り抜けることができ、且つ、作業者たる成人男性の平均的な前腕の幅又は手の幅よりも小さいものが用いられる。なお、本願出願人が調査したところ、成人男性の平均的な前腕の幅（直径）は、約８０ｍｍであり、平均的な手の幅は、約８２ｍｍである。
【００３０】
このように、本発明に係る床下配管接続方法の実施形態において、複数の部材が構成要素となっている。以下、これらの部材を用いた床下配管接続方法の手順について説明する。
【００３１】
図１〜５に示すように、床下配管接続方法は、作業孔位置選定工程Ｓ１、作業孔穿設工程Ｓ２、治工具挿入工程Ｓ３、敷設物挟掴工程Ｓ４、敷設物仮固定工程Ｓ５、敷設物接続工程Ｓ６及び復旧工程Ｓ７の各工程を経て行われる。
【００３２】
作業孔位置選定工程Ｓ１は、作業孔１０の開口位置を床材１のいずれの位置とするかを選定する工程である。この作業は、床下空間Ｓの根太及び被接続対象物以外の敷設物を回避しながら、被接続対象物となる敷設物３と接続対象物４との接続位置を確認し、この接続位置の上方にある床材１の位置を作業孔１０の開口位置と決める。
【００３３】
作業孔穿設工程Ｓ２は、作業孔位置選定工程Ｓ１において決められた開口位置に作業孔１０を開ける工程である。この作業は、決められた開口位置にホールカッターの切削刃を押し付け、切削刃を回転させることにより床材１を削り取る。ホールカッターは、切削刃が床材１を貫通して床下空間Ｓに侵入するとガイド部が床板に接触する。ホールカッターは、切削刃が所定の深さ以上に床下空間Ｓに侵入することがない。
【００３４】
治工具挿入工程Ｓ３は、作業孔穿設工程Ｓ２において開けられた作業孔１０に専用治工具５を挿し入れる工程である。この作業は、専用治工具５を顎部５２の先端側が下に向くように（即ち、スラブ２を向くよう）にして、作業孔１０から床下空間Ｓに挿し入れる（図１（ａ）及び図２（ａ）参照）。なお、専用治工具５を挿入する前に、接続対象物４を作業孔１０から挿し入れてスラブ２上に置いておく。
【００３５】
敷設物挟掴工程Ｓ４は、治工具挿入工程Ｓ３において作業孔１０から挿し入れられた専用治工具５を用いて床下空間Ｓに敷設してある敷設物３を挟んだ状態で掴む工程である。この作業は、作業者が一方の手Ｒで専用治工具５の握り部５３を開操作して顎部５２を開き、専用治工具５を更に床下空間Ｓの奥深くに挿し入れ、開いた顎部５２の間に敷設物３を収める。そして、専用治工具５の握り部５３を閉操作して顎部５２を閉じ、顎部５２の内側対向面５２０で敷設物３の外周壁を挟み、その状態で掴む（図１（ｂ）及び図２（ｂ）参照）。なお、専用治工具５は、顎部５２を閉じたときの最大幅寸法が上述したとおりであり、且つ、顎部５２を開いたとき（即ち、アーム部５０が開いたとき）の正面視最大幅寸法が作業孔１０の直径を越えないものが用いられる。
【００３６】
敷設物仮固定工程Ｓ５は、敷設物挟掴工程Ｓ４において専用治工具５に挟み掴まれた敷設物３を床下空間Ｓで一時的に位置がずれないように仮固定する工程である。この作業は、専用治工具５の顎部５２で敷設物３を握り掴んだ状態のまま、専用治工具５を更に床下空間Ｓの奥深くに挿し入れ、滑り防止部材５５の接触面５５０をスラブ２に押し付ける（図１（ｂ）及び図２（ｂ）参照）。そして、押し付ける力と、接触面５５０とスラブ２との間に発生する摩擦力とにより、専用治工具５に挟み掴まれた敷設物３を床下空間Ｓで一時的に動かないように仮固定する。
【００３７】
敷設物接続工程Ｓ６は、敷設物仮固定工程Ｓ５において敷設物３を仮固定しながら、この敷設物３に接続対象物４を接続する工程である。この作業は、作業者が、作業孔１０に挿し込んだ専用治工具５を一方の手Ｒで操作することによって敷設物３を仮固定し、同時に、他方の手Ｌを作業孔１０から床下空間Ｓに挿し入れ、床下空間Ｓ内で、スラブ２上に置いてある接続対象物４を掴み上げ、敷設物３の端部に導き、押し込み、接続する（図２（ｂ）参照）。
【００３８】
復旧工程Ｓ７は、作業孔穿設工程Ｓ２において開けられた作業孔１０を塞ぐ工程である。この作業は、作業孔１０と同形同大の化粧板（図示せず）を作製し、床下空間Ｓに支持具（図示せず）を設置し、この支持具の上に化粧板を載せ、化粧板が作業孔１０周辺の床材１の表面と面一となるように調整する。
【００３９】
このように床下配管接続方法が実行されることにより、各構成要素は、以下の作用を奏する。作業者は、左右いずれか一方の腕又は手の代わりに、作業者の腕又は手の幅より小さな専用治工具５を作業孔１０から入れ、この専用治工具５で床下にある敷設物３を仮固定しながら、他方の手を作業孔１０から入れ、接続対象物４を掴み、敷設物３に押し込み接続することにより、両腕又は両手を入れて床下配管接続を行う従来の方法に比べて、必要な作業孔１０の開口寸法が小さくなる。その結果、床材１の強度が低下することがなくなり、また、作業孔１０を塞ぐための器具が簡素なもので足り、作業孔１０を塞ぐ作業が容易となる。
併せて、専用治工具５が作業者の片手の代わりとなって敷設物３を固定するので、作業孔１０の開口寸法が小さくなる場合であっても、床上からの作業効率が低下することがない。寧ろ、作業者は、両腕又は両手を入れて床下配管接続を行う場合に比べて、作業孔１０に挿し込んだ片腕又は片手を動かしやすく、また、床下空間Ｓの露出度が高くなるので、床上からの作業効率が向上する。
【００４０】
また、ホールカッターは、ガイド部の支えにより切削刃が所定の深さ以上に床下空間Ｓに侵入しないため、床下空間Ｓに敷設してある敷設物を不用意に傷つけることがない。
【００４１】
また、専用治工具５は、顎部５２が内向きに略くの字状に湾曲していることにより、顎部５２が敷設物３の外周壁に確実に接触し、掴むこととなる。
【００４２】
また、専用治工具５は、顎部５２の内側対向面５２０に保護緩衝材５４が取り付けられていることにより、顎部５２が敷設物３の外周壁を傷つけることがない。
【００４３】
また、専用治工具５は、顎部５２の先端側に滑り防止部材５５が取り付けられていることにより、顎部５２の先端側が下を向くように作業孔１０が挿し入れられた場合、床上からスラブ２にかけて、上から、握り部５３と、顎部５２と、滑り止め部材５５との順番に並ぶ。その結果、作業者が、一方の手Ｒで握り部５３を握りながら、この握り部５３に自らの体重をかけるようにするだけで、握り部５３の下方にある滑り防止部材５５がスラブ２に押し付けられる。即ち、作業者の体重による荷重が、そのまま、滑り防止部材５５をスラブ２に押し付ける力となる。また、握り部５３のフランジ５３０が、作業者の体重を受け止め易くしているため、作業者の体重が無駄なく押し付ける力へとなる。その結果、敷設物３は、強固に固定され、接続対象物４が押し込まれるときに横滑りすることなく、確実に接続される。特に、作業者は、床上から作業を行うので、専用治工具５に自らの体重をかけ易く、無理のない操作により敷設物3を強固に固定することができる。
【００４４】
実施の形態２．
上述した実施の形態１において、滑り防止部材５５は、クッション性を持つ硬質ゴム素材で形成されている一例を説明した。しかし、本発明は、これに限定されるものでなく、鋼やアルミなどの金属で形成されてもよい。以下その内容を説明する。
【００４５】
実施の形態２において、滑り防止部材５５は、顎部５２の先端側から突起する金属製の突起物であり、その外周面がスラブ２に押し付けられる接触面５５０となる。突起物は、円錐形状であるか（図８（ａ））、円錐形状以外の形態として角錐形状であってもよい（図８（ｂ））。
【００４６】
滑り防止部材５５は、スラブ２に押し付けられることにより、スラブ２に突き刺さり、接触面５５０とスラブ２との間に摩擦力を生じさせ、専用治工具５に挟み掴まれた敷設物３を床下空間Ｓで一時的に動かないように仮固定する。実施の形態２において、滑り防止部材５５は、スラブ２に突き刺さるため、敷設物３が横滑りしないように強固に固定される。
【００４７】
なお、実施の形態２において、滑り防止部材５５以外の構成、方法工程及び作用については、上述した実施の形態１と同様であるから、対応する箇所に同一符号を付し、その説明を省略する。
【００４８】
なお、図１、２、６及び７は、敷設物３が床下空間Ｓに敷設されている管材となり、接続対象物４が継手となる接続作業の一例を示している。しかし、本発明は、これに限定されるものでなく、例えば、管材に接続された継手が新たな敷設物３となり、異なる別の管材が接続対象物４となって接続作業をする場合であっても用いられる。
【符号の説明】
【００４９】
１  床材
１０  作業孔
２  スラブ
３  敷設物
４  接続対象物
５  専用治工具
５０  アーム部
５１  枢着部
５２  顎部
５２０  内側対向面
５３  握り部
５４  保護緩衝材
５５  滑り防止部材
【図１】
2012047281.tif 000003
【図２】
2012047281.tif 000004
【図３】
2012047281.tif 000005
【図４】
2012047281.tif 000006
【図５】
2012047281.tif 000007
【図６】
2012047281.tif 000008
【図７】
2012047281.tif 000009
【図８】
2012047281.tif 000010
【図９】
2012047281.tif 000011